(57)【要約】【課題】感光性記録媒体用カートリッジにＷＯＲＭ機能を付加して、記録された重要な情報の改ざんを防止することができる感光性記録媒体用カートリッジを提供する。【解決手段】感光性を有する記録ディスク４を収容するカートリッジ２は、ディスク収容部３内に収容された記録ディスク４の中心部４ａ及び記録面４ｂを外部に露呈させる開口１８，１９を有するカートリッジ本体１１と、このカートリッジ本体１１の外側に取り付けられて開口１８，１９を開閉するシャッタ１３とを備え、ディスク収容部３には、外壁に薄肉部２５ｆ、２６ｆが形成され、カートリッジ２が記録再生装置６０に装填された際に、位置決めピン６１により薄肉部２５ｆ，２６ｆを破断してディスク収容部３を外部に露呈させて記録ディスク４を感光させ、以後のデータ改ざんを防止する。【選択図】図１
2007066396.tif 000002
【特許請求の範囲】
【請求項１】
ディスク状の感光性記録媒体と、
前記感光性記録媒体を回転自在に収容するディスク収容部および前記感光性記録媒体の中心と記録面とを外部に露呈させる開口を有するカートリッジ本体と、
前記カートリッジ本体の外側に取り付けられて前記開口を閉じる閉じ位置と前記開口を開放する開き位置との間で移動自在に配設されたシャッタとを備え、
前記カートリッジ本体には、前記感光性記録媒体用カートリッジが記録再生装置に装填された際に開放され、前記感光性記録媒を外部に露呈させる遮光開放部を備えることを特徴とする感光性記録媒体用カートリッジ。
【請求項２】
前記遮光開放部は、前記ディスク収容部の外壁に形成された薄肉部であり、前記感光性記録媒体用カートリッジが前記記録再生装置に装填された際に、前記薄肉部が破断されて前記感光性記録媒を外部に露呈させる構成であることを特徴とする請求項１に記載の感光性記録媒体用カートリッジ。
【請求項３】
前記遮光開放部は、前記ディスク収容部の外壁に形成された窓部を遮蔽する遮光部材と、
前記感光性記録媒体用カートリッジが前記記録再生装置に装填されたとき、前記遮光部材を前記窓部から離間させて前記遮光部材による前記窓部の遮蔽を解除する開放機構とを有していることを特徴とする請求項１に記載の感光性記録媒体用カートリッジ。
【請求項４】
前記薄肉部の破断及び前記遮光部材の離間動作は、前記記録再生装置に配設されて前記感光性記録媒体用カートリッジが前記記録再生装置に装填されたとき前記感光性記録媒体用カートリッジと前記記録再生装置との相対位置を位置決めする位置決めピンにより行われることを特徴とする請求項２又は３に記載の感光性記録媒体用カートリッジ。
【請求項５】
前記感光性記録媒体は、ホログラム記録媒体であることを特徴とする請求項１から４のいずれか１つに記載の感光性記録媒体用カートリッジ。
【発明の詳細な説明】
【技術分野】
【０００１】
本発明は、感光性録媒体用カートリッジに関し、特に、感光性録媒体用カートリッジが記録再生装置に装填されたとき、感光性録媒体を収容するディスク収容部の少なくとも一部を外部に開放してディスク収容部の遮光性を破壊するようにした感光性記録媒体用カートリッジに関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
また、ディスク状記録媒体を収容するカートリッジとしては、ディスク状記録媒体を外部に露出させる開口が形成されたカートリッジ本体、および該開口を開閉するシャッタを備えたカートリッジが知られている（例えば、特許文献３参照）。
【０００４】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２または特許文献３に記載されているカートリッジと同様の構成を有しているものと考えられる。
【０００５】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００６】
特許文献３に記載の発明は、シェルに形成されたウインド（開口）がシャッタにより開閉される。シャッタに固定されたスライダの基端側には、シェル内に配置されたばねが取り付けられており、これによりシャッタがウインドを閉じるように付勢されたシャッタ開閉機構が記載されている。
【０００７】
【特許文献１】特開２００４―０２９４７６号公報
【特許文献２】特開２００３―３１７４２２号公報
【特許文献３】特開平８―２１２７４７号公報
【発明の開示】
【発明が解決しようとする課題】
【０００８】
ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、カートリッジ本体とシャッタとの間の遮光構造および防塵構造に関する記載がない。
【０００９】
また、特許文献２に記載のカートリッジは、カートリッジ本体とシャッタとの間をスポンジ状の遮光材で遮光しているが、この遮光材が剥がれ、または劣化した場合に適切な遮光及び防塵が行なえなくなるという問題がある。
【００１０】
特許文献３に記載のカートリッジは、スライダに取り付けられたばねにより、シャッタが常にウインドを閉じる方向に付勢されている。
【００１１】
上記したように、感光性記録媒体を収容するカートリッジは、感光性記録媒体の感光を防止するため、通常、シャッタが閉じられて遮光されており、情報の書込み、読出し時に、遮光された記録再生装置内でシャッタが開放される。そして、カートリッジが記録再生装置から取り出されるときには、再びシャッタが閉じられて遮光される。
【００１２】
一方、重要な情報を記録するカートリッジにおいては、書き込まれた情報の改ざんができないように上書きや追記が禁止されて情報の読出しのみを許容する、所謂、ＷＯＲＭ(Write Only Read Many)機能が要求される。しかし、上記特許文献１から特許文献３に記載のカートリッジは、ＷＯＲＭ機能については全く記載されていない。
【００１３】
本発明は、上記事情に鑑みてなされたもので、その目的は、感光性記録媒体用カートリッジにＷＯＲＭ機能を付加して、記録された重要な情報の改ざんを防止することができる感光性記録媒体用カートリッジを提供することにある。
【課題を解決するための手段】
【００１４】
本発明の上記目的は、下記感光性記録媒体用カートリッジによって達成される。
（１）  ディスク状の感光性記録媒体と、前記感光性記録媒体を回転自在に収容するディスク収容部および前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタとを備え、前記カートリッジ本体には、前記感光性記録媒体用カートリッジが記録再生装置に装填された際に開放され、前記感光性記録媒を外部に露呈させる遮光開放部を備えることを特徴とする感光性記録媒体用カートリッジ。
【００１５】
上記構成の感光性記録媒体用カートリッジによれば、感光性記録媒体用カートリッジが記録再生装置に装填されることにより、ディスク収容部の少なくとも一部を開放して感光性記録媒を外部に露呈させる遮光開放部を備えるので、一度、感光性記録媒体に情報が記録された感光性記録媒体用カートリッジは、ディスク収容部の遮光が解除された状態（遮光されていない状態）で記録再生装置から取り出される。これにより感光性記録媒体を感光させて、それ以降の情報の書込みや上書きを不可能として、記録された情報の改ざんを防止することができる。従って、重要な情報を保護することができる。
【００１６】
（２）  前記遮光開放部は、前記ディスク収容部の外壁に形成された薄肉部であり、前記感光性記録媒体用カートリッジが前記記録再生装置に装填された際に、前記薄肉部が破断されて前記感光性記録媒を外部に露呈させる構成であることを特徴とする上記（１）記載の感光性記録媒体用カートリッジ。
【００１７】
上記構成の感光性記録媒体用カートリッジによれば、ディスク収容部の外壁に薄肉部を設け、感光性記録媒体用カートリッジが記録再生装置に装填されたとき、薄肉部を破断するようにしたので、一度、記録再生装置に装填された感光性記録媒体用カートリッジは、簡単な機構で且つ確実にディスク収容部の遮光が開放されて感光性記録媒を外部に露呈させることができる。これにより、感光性記録媒体を感光させ、書き込まれた情報の改ざんを防止することができる。
【００１８】
（３）  前記遮光開放部は、前記ディスク収容部の外壁に形成された窓部を遮蔽する遮光部材と、前記感光性記録媒体用カートリッジが前記記録再生装置に装填されたとき、前記遮光部材を前記窓部から離間させて前記遮光部材による前記窓部の遮蔽を解除する開放機構とを有していることを特徴とする上記（１）記載の感光性記録媒体用カートリッジ。
【００１９】
上記構成の感光性記録媒体用カートリッジによれば、ディスク収容部に形成された窓部を遮光部材で遮蔽すると共に、感光性記録媒体用カートリッジが記録再生装置に装填されたとき、開放機構によって遮光部材による窓部の遮蔽を解除するようにしたので、未使用の感光性記録媒体用カートリッジの感光性記録媒体を遮光して感光を防止すると共に、一度、記録再生装置に装填された感光性記録媒体用カートリッジは、ディスク収容部を外部に露呈させて感光性記録媒体を感光させ、書き込まれた情報の改ざんを防止することができる。
【００２０】
（４）  前記薄肉部の破断及び前記遮光部材の離間動作は、前記記録再生装置に配設されて前記感光性記録媒体用カートリッジが前記記録再生装置に装填されたとき前記感光性記録媒体用カートリッジと前記記録再生装置との相対位置を位置決めする位置決めピンにより行われることを特徴とする上記（２）又は（３）に記載の感光性記録媒体用カートリッジ。
【００２１】
上記構成の感光性記録媒体用カートリッジによれば、薄肉部の破断及び遮光部材の離間動作が、記録再生装置に配設された位置決めピンにより行われるので、感光性記録媒体用カートリッジの位置決めと、ディスク収容部の外部への露呈とを同時に行うことができ、機構の簡素化が可能となる。
【００２２】
（５）  前記感光性記録媒体は、ホログラム記録媒体であることを特徴とする上記（１）から（４）のいずれか１つに記載の感光性記録媒体用カートリッジ。
【００２３】
上記構成の感光性記録媒体用カートリッジによれば、ホログラム記録媒体に記録された情報の改ざんを確実に防止して、重要な情報を保護することができる。
【発明の効果】
【００２４】
本発明の感光性記録媒体用カートリッジによれば、感光性記録媒体にＷＯＲＭ機能を付加して、記録された重要な情報の改ざんを防止することができる感光性記録媒体用カートリッジを提供することができる。
【発明を実施するための最良の形態】
【００２５】
以下、本発明の実施形態を図面に基づいて詳しく説明する。
＜第１実施形態＞
図１は本発明の実施形態であるホログラム記録媒体用カートリッジ（以下、カートリッジと省略する）の斜視図、図２はカートリッジの構成を示す分解斜視図、図３は図１におけるＩＩＩ−ＩＩＩ矢視断面図であり、（Ａ）は全体図、（Ｂ）は（Ａ）の前端縁部の拡大図、（Ｃ）は（Ａ）の後端縁部の拡大図、図４は記録再生装置に装填されたカートリッジが位置決めされる直前の状態を示す要部拡大断面図、図５はカートリッジが記録再生装置に位置決めされてディスク収容部の薄肉部が破断した状態を示す要部拡大断面図である。
【００２６】
図１に示すように、カートリッジ２は、このカートリッジを取り扱うホログラム記録装置等に対し、矢印Ｃ方向から装填される。カートリッジ２のディスク収容部３内に回転自在に収容される記録ディスク４は、中心部に穴をあけてディスク状にしたホログラム記録ディスクであり、両面にホログラム記録層が設けられている。
【００２７】
このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行うために、Ａ面２ａまたはＢ面２ｂのいずれかを上にしてホログラム記録装置にセットされる。
【００２８】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００２９】
シャッタ１３が矢印Ｄ方向の開き位置に向けて移動すると、外部開口１４,１５とともに、外部開口１４,１５に対面するようにカートリッジ本体１１に設けられている同形状の開口１８,１９が開放される。これにより、ディスク収容部３内に収容されている記録ディスク４の中心部４ａと、記録面４ｂとが外部に露呈される。シャッタ１３は、内蔵するシャッタバネによって閉じ位置に付勢されている。
【００３０】
図２に示すように、カートリッジ本体１１は、略板状の第１シェル２５と、この第１シェル２５に接合される第２シェル２６とから構成されている。第１シェル２５と第２シェル２６は、例えば、遮光性物質と滑剤とが添加された同一または類似の熱可塑性プラスチックを用いて、射出成形により形成されている。カートリッジ２の後端縁部の拡大した断面図である図３（Ｃ）に示すように、第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。
【００３１】
第１の遮光壁３０の内側には、記録ディスク４の中心部４ａと記録面４ｂとを外部に露呈させる開口１８が設けられている。更に、第１の遮光壁３０の内側には、遮光開放部である略円形に形成されたフィルム状の薄肉部２５ｆが設けられている。薄肉部２５ｆは、その中央部をやや肉厚に形成して、その周囲にフィルム状のリング部を形成するようにしてもよい。これにより、薄肉部２５ｆの中央部の強度を強めて、後述する記録再生装置６０の位置決めピン６１が薄肉部２５ｆに当接したとき、薄肉部２５ｆをフィルム状のリング部の部位で破断して確実に大きな円形穴を形成することができる。
【００３２】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部４ａと記録面４ｂとを外部に露呈させる開口１９が設けられている。また、第３の遮光壁３５の内側には、第１シェル２５の薄肉部２５ｆと同様に、略円形に形成されたフィルム状の薄肉部２６ｆが形成されている、
【００３３】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｅに当接する。ディスク収容部３は、これらの遮光壁３０、３１、３５と、第１シェル２５及び第２シェル２６の内面とによって形成される。ディスク収容部３の側壁は、３枚の遮光壁３０，３１,３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００３４】
また、第２シェル２６の第３の遮光壁３５の先端は、超音波溶着によって第１シェル２５の内面２５ｅに固着される。これにより、第１シェル２５と第２シェル２６とが強固に接合されるため、両者の合せ目に隙間が開くようなことはない。
【００３５】
図１から図３に示すように、第１シェル２５及び第２シェル２６の外面には、遮光板１２の形状より僅かに大きく、且つ遮光板１２の厚み以上の深さで内側にオフセットされた遮光板取付面２５ａ,２６ａが形成されている。また、遮光板取付面２５ａ,２６ａの内側に、シャッタ部材５５の厚み以上の深さで内側にオフセットさせたシャッタ摺動面２５ｂ,２６ｂが形成されている。
【００３６】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００３７】
遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００３８】
遮光板１２は、第１の板部１２ａ及び第２の板部１２ｂでカートリッジ本体１１のＢ面２ｂ及びＡ面２ａを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。
【００３９】
図２に示すように、遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
【００４０】
遮光板１２がカートリッジ本体１１の外側（遮光板取付面２５ａ,２６ａ）に取り付けられると、第１シェル２５及び第２シェル２６のピン５０が穴４９に挿入され、遮光板１２の表面から突出される。遮光板１２は、各ピン５０の先端が熱で潰されることによりカートリッジ本体１１に固着される。
【００４１】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００４２】
図２に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４３】
図２に示すように、シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００４４】
シャッタ部材５５は、第１シャッタ５５ａおよび第２シャッタ５５ｂでカートリッジ本体１１のＢ面２ｂ及びＡ面２ａを挟み込み、かつ連設部５５ｃでカートリッジ本体１１の装填方向Ｃの先端を覆うようにして、カートリッジ本体１１のシャッタ摺動面２５ｂ,２６ｂに取り付けられる。
【００４５】
第１シェル２５と第２シェル２６の外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００４６】
図２に示すように、スライド部材５６は、カートリッジ２の装填方向の前面５６ｇがカートリッジ本体１１の装填方向先端面から露出されるように、第１シェル２５と第２シェル２６との間にスライド自在に組み込まれる。スライド部材５６の前面５６ｇの端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００４７】
図３に示すように、スライド部材５６の側面には、長手方向に沿って溝５６ｃが形成されている。この溝５６ｃには、第１シェル２５及び第２シェル２６の装填方向先端側の内面に設けられた突条２５ｃ,２６ｃが挿入される。この溝５６ｃと突条２５ｃ,２６ｃとにより、スライド部材５６はカートリッジ本体１１から外れることなく、スライド移動することができるようになる。
【００４８】
スライド部材５６の前面５６ｇのシャッタ閉じ方向の端部には、シャッタ１３を開く際に操作される係止部５６ｄが突出して形成されている。この係止部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、係止部５６ｄとの干渉を避けるために設けられたものであり（図１参照）、シャッタ１３の移動距離が不足して開口１８,１９を開放できない場合に形成することにより移動距離の拡大が図られる。
【００４９】
遮光性の観点からは、切欠４０を設けないことが望ましい。また、切欠４０を設ける場合でも、切欠４０の端縁４０ａは、開口１８,１９の縁部１８ａ、１９ａからシャッタ閉じ方向にできるだけ離間させて形成するようにして遮光性を阻害しない配慮が必要である。
【００５０】
シャッタ１３は、その両端がスライド部材５６と第１シェル２５の内面とに係止されている捩じりコイルバネなどのシャッタバネ５９により開口１８，１９を閉じる方向に付勢されている。
【００５１】
図１および図４に示すように、このようなカートリッジ２が記録再生装置６０に挿入されて所定の位置に達すると、記録再生装置６０に配設されたシャッタ開放部材（図示せず）が、スライド部材５６の係止部５６ｄを押圧してシャッタ１３を開くと共に、記録再生装置６０の位置決めピン６１がカートリッジ２の薄肉部２６ｆに対向して位置する。次いで、図５に示すように、カートリッジ２が矢印Ｙ方向に下降すると、薄肉部２６ｆは位置決めピン６１に押圧されてフィルム状のリング部が破断して円形の穴６２が明けられる。尚、Ａ面２ａが上に向けられて記録再生装置６０に装填されたときは、位置決めピン６１によって薄肉部２５ｆが破断される。
【００５２】
記録再生装置６０により感光性記録媒体４に情報が記録された後、カートリッジ２が記録再生装置６０から取り出されると、外部の光が穴６２からカートリッジ２（ディスク収容部３）内に入り込んで感光性記録媒体４を感光させる。
【００５３】
これにより、情報が書き込まれた感光性記録媒体４のデータ部は、定着処理されたときと同様の状態となって、以後の上書きが不可能となる。また、情報が書き込まれなかった未使用データ部も感光するので、この未使用データ部への追記も不可能となる。これにより、書き込まれた情報の改ざんが防止される。尚、情報が記録されたデータ部は、カートリッジ２を記録再生装置から取り出す前に定着処理を施すことが、情報を安定して記録する上から望ましい。定着処理が施されたデータ部は、その後、外部の光が当たっても変化することはなく、安定して情報を記録する。
【００５４】
＜第２実施形態＞
次に、第２実施形態のカートリッジについて図６および図７に基づいて説明する。図６は遮光開放部の構成を示す要部断面図、図７は図６におけるＶＩＩ矢視断面図である。尚、第２実施形態のカートリッジは、遮光開放部が既に説明した第１実施形態のカートリッジと異なるだけであるので、同一部分には同一符号または相当符号を付して説明を省略または簡略化する。
【００５５】
図６に示すように、第２実施形態のカートリッジ２の第１シェル２５は、外壁２５ｇにディスク収容部３に貫通する窓部６３が形成されている。窓部６３の開口縁には、全周に亘ってリブ２５ｊが形成されている。また、第１シェル２５および第２シェル２６の内面には、開放機構の一部を構成する一対の支点リブ２５ｈ，２６ｈが互いに対向して形成されている。一対の支点リブ２５ｈ，２６ｈは、ディスク収容部３の側壁の一部であり、支点リブ２５ｈ，２６ｈの内側（図において左側）がディスク収容部３となっている。
【００５６】
一対の支点リブ２５ｈ，２６ｈは、協働して遮光部材６４の軸部６４ａを回動自在に支承している。支点リブ２５ｈ，２６ｈの支承面には、Ｏリングなどの遮光材６５が配設されて、軸部６４ａとの間を遮光している。また、第２シェル２６の内面には、先端にフック部２６ｍが形成された係止リブ２６ｊが、支点リブ２６ｈに対向してディスク収容部３内に形成されている。
【００５７】
遮光部材６４は、一対の支点リブ２５ｈ，２６ｈにより回動自在に支承される軸部６４ａから一方（ディスク収容部３方向）に延設されて形成された蓋部６４ｂと、他方に延設されて開放機構の一部を構成するアーム部６４ｃとが設けられている。蓋部６４ｂは、遮光パッキン６６を介して窓部６３を閉鎖してディスク収容部３を外部から遮光する。また、アーム部６４ｃは、位置決め穴６７に対向して配置されている。
【００５８】
このようなカートリッジ２が記録再生装置６０に挿入されて所定の位置に達すると、記録再生装置６０に配設されたシャッタ開放部材（図示せず）が、スライド部材５６の係止部５６ｄを押圧してシャッタ１３を開くと共に、記録再生装置６０の位置決めピン６１がカートリッジ２の位置決め穴６７から挿入されてアーム部６４ｃを図６において上方に押し上げる。これにより、遮光部材６４は、図６に実線で示す位置から破線で示す位置に、軸部６４ａを中心として反時計方向に回動し、蓋部６４ｂが窓部６３から離間して窓部６３を開放する。
【００５９】
蓋部６４ｂは、図７において破線で示す窓部６３の閉鎖位置から同図に実線で示す開放位置に移動し、係止リブ２６ｊのフック部２６ｍに係止されて窓部６３を開放した状態で保持される。
【００６０】
記録再生装置６０により感光性記録媒体４に情報が記録された後、カートリッジ２が記録再生装置６０から取り出されると、外部の光が開放された窓部６３からカートリッジ２（ディスク収容部３）内に入り込んで感光性記録媒体４を感光させる。
【００６１】
これにより、情報が書き込まれた感光性記録媒体４のデータ部は、定着処理されたときと同様の状態となって、以後の上書きが不可能となる。また、情報が書き込まれなかった未使用データ部も感光するので、この未使用データ部への追記も不可能となる。即ち、情報の改ざんが防止される。
【００６２】
上記説明においては、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組みあわせて形成してもよい。例えば、シャッタ収納部を境にして２部品で構成すれば、金型の簡易化を図ることができる。
【００６３】
更に、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、薄肉部は一方のシェルに形成すればよい。更に、ホログラム記録媒体を収容するカートリッジを例に説明したが、その他の感光性を有する記録媒体を収容するカ一トリッジにも本発明を適用することができる。また、シャッタの開放操作を禁止する操作ロック機構を持たないカートリッジを例に脱明したが、操作ロック機構を配備したカートリッジとすることもでき、この場合には不用意なシャッタの開放による感光性記録媒体の感光が防止できるので好ましい。
【図面の簡単な説明】
【００６４】
【図１】図１から図５は本発明の第１実施形態に係り、図１はカートリッジの外観形状を示す斜視図である。
【図２】カートリッジの構成を示す分解斜視図である。
【図３】図１におけるＩＩＩ−ＩＩＩ矢視断面図であり、（Ａ）は全体図、（Ｂ）は（Ａ）の前端縁部の拡大図、（Ｃ）は（Ａ）の後端縁部の拡大図である。
【図４】カートリッジが記録再生装置に位置決めされる直前の状態を示す要部拡大断面図である。
【図５】カートリッジが記録再生装置に位置決めされてディスク収容部の薄肉部が破断した状態を示す要部拡大断面図である。
【図６】図６および図７は本発明の第２実施形態に係り、図６は遮光開放部の構成を示す要部断面図である。
【図７】図６におけるＶＩＩ矢視断面図である。
【符号の説明】
【００６５】
２           カートリッジ（感光性記録媒体用カートリッジ）
３           ディスク収容部
４           記録ディスク（感光性記録媒体、ホログラム記録媒体）
１１         カートリッジ本体
１３         シャッタ
１８，１９          開口
２５         第１シェル
２５ｆ，２６ｆ             薄肉部（遮光開放部）
２６         第２シェル
６０         記録再生装置
６１         位置決めピン
６３         窓部
６４         遮光部材
６４ａ       軸部（開放機構）
６４ｃ       アーム部（開放機構）
【図１】
2007066396.tif 000003
【図２】
2007066396.tif 000004
【図３】
2007066396.tif 000005
【図４】
2007066396.tif 000006
【図５】
2007066396.tif 000007
【図６】
2007066396.tif 000008
【図７】
2007066396.tif 000009